(57)【要約】【課題】  気象予報士等の個人気象予測者や気象予測を行う事業者、及び、気象予測を利用する事業者を支援し、予測精度の向上を図ることができる気象予測支援システムを提供する。【解決手段】  複数の投稿者からの予測対象場所と気象要素別の気象予測データと当該予測の根拠としたデータ種別の入力を各別に受け付ける予測データ入力部１１と、予測対象場所と気象要素別の気象実績データの入力を各別に受け付ける実績データ入力部１２と、投稿者と予測対象場所と気象要素別に、気象予測データと気象実績データに基づいて、気象予測データの予測精度と所定の評価期間毎の期間予測精度を算出する予測精度算出部１３と、予測対象場所と気象要素と評価期間別に、少なくとも期間予測精度に基づく所定順位の投稿者と期間予測精度を所定の出力形式で外部に出力する予測精度出力部１４とを備える。【選択図】        図１
2006275674.tif 000002
【特許請求の範囲】
【請求項１】
複数の投稿者からの予測対象場所と気象要素別の気象予測データと当該予測の根拠としたデータ種別の入力を各別に受け付ける予測データ入力部と、
前記予測対象場所と前記気象要素別の気象実績データの入力を各別に受け付ける実績データ入力部と、
前記投稿者と前記予測対象場所と前記気象要素別に、前記気象予測データと前記気象実績データに基づいて、前記気象予測データの予測精度と所定の評価期間毎の期間予測精度を算出する予測精度算出部と、
前記予測対象場所と前記気象要素と前記評価期間別に、少なくとも前記期間予測精度に基づく所定順位の前記投稿者と前記期間予測精度を所定の出力形式で外部に出力する予測精度出力部と、
を備えてなることを特徴とする気象予測支援システム。
【請求項２】
複数の投稿者からの予測対象場所と気象要素別の気象予測データと当該予測の根拠としたデータ種別の入力を各別に受け付ける予測データ入力部と、
前記投稿者と前記予測対象場所と前記気象要素別に、前記気象予測データと気象実績データに基づく前記気象予測データの予測精度の入力を各別に受け付ける予測精度入力部と、
前記投稿者と前記予測対象場所と前記気象要素別に、前記気象予測データの予測精度に基づいて所定の評価期間毎の期間予測精度を算出する予測精度算出部と、
前記予測対象場所と前記気象要素と前記評価期間別に区分された、少なくとも前記期間予測精度に基づく所定順位の前記投稿者と前記期間予測精度からなる予測精度情報を所定の出力形式で外部に出力する予測精度出力部と、を備えてなることを特徴とする気象予測支援システム。
【請求項３】
前記予測精度出力部は、予め登録された閲覧会員からの閲覧要求に応答して、前記予測精度情報を前記閲覧会員に対して出力することを特徴とする請求項１または２に記載の気象予測支援システム。
【請求項４】
予め登録された閲覧会員からの閲覧要求に応答して、前記複数の投稿者の内の前記閲覧会員が指定する投稿者の前記気象予測データを所定の出力形式で前記閲覧会員に対して出力する第１予測データ出力部を備えることを特徴とする請求項１〜３の何れか１項に記載の気象予測支援システム。
【請求項５】
前記投稿者と前記予測対象場所と前記気象要素別に、過去の前記気象予測データを所定の出力形式で外部に出力する第２予測データ出力部を備えることを特徴とする請求項１〜４の何れか１項に記載の気象予測支援システム。
【請求項６】
前記投稿者と前記予測対象場所と前記気象要素別に、所定の気象予測機関が発表した標準気象予測データに対する前記気象予測データの予測精度の改善程度を算出する予測精度改善度算出部を備えることを特徴とする請求項１〜５の何れか１項に記載の気象予測支援システム。
【請求項７】
前記予測精度の改善程度に基づいて前記投稿者に所定のポイントを付与する改善ポイント付与部を備えることを特徴とする請求項６に記載の気象予測支援システム。
【発明の詳細な説明】
【技術分野】
【０００１】
本発明は、気象予報士等の個人気象予測者の気象予測の予測精度の改善を支援するための気象予測支援システムに関する。
【背景技術】
【０００２】
小売業における売上げ予測や、電力事業における電力需要予測のために、翌日から数日間の天候や気温等の短期気象予測が利用されている。このような短期気象予測は、気象庁や民間気象会社等から提供されているが、予測誤差を含んでいる。例えば、小売業では、売上げと天候の関連性が強く、電力事業では、電力需要と気象（気温）の関連性が強いことが知られており、気象予測の予測精度が、小売業における売上げ予測精度や、電力事業における電力需要の予測精度に影響するため、気象予測の精度向上が望まれている。このため、従来は、気象予測の予測誤差には統計的に一定の傾向がみられることから、これに基づいて機械的に補正する等していた。
【０００３】
気象予測を補正する技術には、例えば、一定時間毎に、所定の地域（予測対象場所）における気象の予測値と実績値とを比較して予測誤差を算出し、この予測誤差を初期値とし、その値が所定の誤差収束期間内で段階的に収束するように補正値を設定することで予測値の補正を行う補正方法がある（例えば、特許文献１参照）。
【０００４】
【特許文献１】特開２００１−３４９９６０号公報
【発明の開示】
【発明が解決しようとする課題】
【０００５】
しかし、特許文献１の補正方法は、異なる地域であっても一律に同じ機械的統計処理を施して予測値の補正を行うものであり、地形等、地域特有の気象要因に応じた処理を行えるものではない。更に、地域特有の気象要因は様々であることから、従来は、各地域における個人気象予測者や民間気象会社等が個別に、当該地域における気象予測精度の向上の研究に当たっている。このため、個人気象予測者や民間気象会社等における予測精度は、地域（予測対象場所）毎に異なり、気象予測を利用する事業者は、どの気象予測を利用することが適切であるかを判断することが困難になっている。
【０００６】
本発明は上記の問題点に鑑みてなされたものであり、その目的は、気象予報士等の個人気象予測者や気象予測を行う事業者、及び、気象予測を利用する事業者を支援し、予測精度の向上を図ることができる気象予測支援システムを提供する点にある。
【課題を解決するための手段】
【０００７】
上記目的を達成するための本発明に係る気象予測支援システムは、複数の投稿者からの予測対象場所と気象要素別の気象予測データと当該予測の根拠としたデータ種別の入力を各別に受け付ける予測データ入力部と、前記予測対象場所と前記気象要素別の気象実績データの入力を各別に受け付ける実績データ入力部と、前記投稿者と前記予測対象場所と前記気象要素別に、前記気象予測データと前記気象実績データに基づいて、前記気象予測データの予測精度と所定の評価期間毎の期間予測精度を算出する予測精度算出部と、前記予測対象場所と前記気象要素と前記評価期間別に、少なくとも前記期間予測精度に基づく所定順位の前記投稿者と前記期間予測精度を所定の出力形式で外部に出力する予測精度出力部とを備えてなることを特徴とする。
【０００８】
上記特徴の気象予測支援システムによれば、気象予測データを提供する複数の投稿者夫々について、気象予測データと気象実績データとに基づいて、気象予測データの予測精度と期間予測精度を算出することができる。これによって、予測対象場所別、気象要素別に予測精度の高い投稿者を容易に把握することができる。また、気象予測データと気象実績データとに基づいて気象予測データの予測精度及び期間予測精度を算出するので、全ての投稿者に対し、同じ基準で予測精度を算出することができる。更に、予測精度の高い投稿者の予測技術を共有するように構成すれば、予測精度の向上を図ることが可能になる。
【０００９】
尚、気象要素としては、気圧、気温（時刻別気温、日最高気温、日最低気温、日平均気温）、湿度、日射・日照時間、風向・風速（時刻別風速、日平均風速、最大風速、最大瞬間風速）、降水量（降雪量）等が考えられる。
【００１０】
上記目的を達成するための本発明に係る他の気象予測支援システムは、複数の投稿者からの予測対象場所と気象要素別の気象予測データと当該予測の根拠としたデータ種別の入力を各別に受け付ける予測データ入力部と、前記投稿者と前記予測対象場所と前記気象要素別に、前記気象予測データと気象実績データに基づく前記気象予測データの予測精度の入力を各別に受け付ける予測精度入力部と、前記投稿者と前記予測対象場所と前記気象要素別に、前記気象予測データの予測精度に基づいて所定の評価期間毎の期間予測精度を算出する予測精度算出部と、前記予測対象場所と前記気象要素と前記評価期間別に区分された、少なくとも前記期間予測精度に基づく所定順位の前記投稿者と前記期間予測精度からなる予測精度情報を所定の出力形式で外部に出力する予測精度出力部と、を備えてなることを特徴とする。
【００１１】
上記特徴の気象予測支援システムによれば、気象予測データを提供する複数の投稿者夫々について、気象予測データとその予測精度に基づいて、気象予測データの期間予測精度を算出することができる。これによって、予測対象場所別、気象要素別に予測精度の高い投稿者を容易に把握することができる。また、気象実績データに基づく気象精度を入力するように構成したので、気象精度の算出に係る手間を省力化でき、本発明の構成を簡易にできる。更に、予測精度の高い投稿者の予測技術を共有するように構成すれば、予測精度の向上を図ることが可能になる。
【００１２】
上記何れかの特徴の本発明に係る気象予測支援システムは、前記予測精度出力部が、予め登録された閲覧会員からの閲覧要求に応答して、前記予測精度情報を前記閲覧会員に対して出力することをことを特徴とする。
【００１３】
上記特徴の気象予測支援システムによれば、予め登録された閲覧会員に限定して気象予測データを提供するように構成したので、本発明に係る運用面での利便性及び安全性を確保できる。例えば、閲覧会員から利用料や会費を得ることにより、本発明の運用資金の調達を容易にすることができる。
【００１４】
更に、上記何れかの特徴の本発明に係る気象予測支援システムは、予め登録された閲覧会員からの閲覧要求に応答して、前記複数の投稿者の内の前記閲覧会員が指定する投稿者の前記気象予測データを所定の出力形式で前記閲覧会員に対して出力する第１予測データ出力部を備えることを特徴とする。
【００１５】
上記特徴の気象予測支援システムによれば、特定の閲覧会員からの閲覧要求に応答して、複数の投稿者の内の指定する投稿者の気象予測データを出力できる。これによって、閲覧会員は、投稿者の気象予測データを容易に取得することができる。
【００１６】
また、上記何れかの特徴の本発明に係る気象予測支援システムは、前記投稿者と前記予測対象場所と前記気象要素別に、過去の前記気象予測データを所定の出力形式で外部に出力する第２予測データ出力部を備えることを特徴とする。
【００１７】
上記特徴の気象予測支援システムによれば、投稿者と予測対象場所と気象要素別に、過去の気象予測データを出力できる。これによって、閲覧会員は、過去の気象予測データから投稿者の予測傾向を把握することができ、気象予測データを購入する投稿者を適切に選択することができる。
【００１８】
更に、また、上記何れかの特徴の本発明に係る気象予測支援システムは、前記投稿者と前記予測対象場所と前記気象要素別に、所定の気象予測機関が発表した標準気象予測データに対する前記気象予測データの予測精度の改善程度を算出する予測精度改善度算出部を備えることを特徴とすることを特徴とする。
【００１９】
上記特徴の気象予測支援システムによれば、改善程度を算出することができるので、投稿者の予測精度の改善に対する意欲を高めることができ、各投稿者の予測精度の向上を図ることができる。
【００２０】
更に、上記特徴の本発明に係る気象予測支援システムは、前記予測精度の改善程度に基づいて前記投稿者に所定のポイントを付与する改善ポイント付与部を備えることを特徴とすることを特徴とする。
【００２１】
上記特徴の気象予測支援システムによれば、改善ポイントを付与することで、投稿者の予測精度の改善に対する意欲を高めることができ、各投稿者の予測精度の向上を図ることができる。
【発明を実施するための最良の形態】
【００２２】
以下、本発明に係る気象予測支援システム（以下、適宜「本発明システム」と略称する）の実施形態を図面に基づいて説明する。
【００２３】
本発明システムは、コンピュータのハードウェアとそのハードウェア上で実行されるアプリケーションソフトウェアで構成されており、気象予報士等の個人気象予測者の気象予測の予測精度の改善を支援する。
【００２４】
〈第１実施形態〉
本発明システムの第１実施形態について、図１及び図２に基づいて説明する。図１に示すように、本実施形態の本発明システム１は、予測データ入力部１１、実績データ入力部１２、予測精度算出部１３、及び、予測精度出力部１４を備えている。更に、本発明システム１は、気象予測データを投稿する投稿者端末２、及び、閲覧会員が使用する閲覧会員端末３から、インターネットやＷＡＮ（Ｗｉｄｅ  Ａｒｅａ  Ｎｅｔｗｒｏｋ）等の通信ネットワーク４を介してアクセス可能に構成されている。
【００２５】
予測データ入力部１１は、複数の投稿者からの予測対象場所と気象要素別の気象予測データと当該予測の根拠としたデータ種別の入力を各別に受け付ける。ここでの予測対象場所は、都道府県、市区町村毎、アメダスポイント毎に設定されるが、閲覧会員のニーズに応じて追加可能である。また、気象要素としては、本実施形態では、気温（時刻別気温、日最高気温、日最低気温、日平均気温）、風向・風速（時刻別気温、平均風速、最大風速、最大瞬間風速）等を想定している。気象予測データは、時系列データ、日予測データ、月平均予測データ等からなる。また、データ種別は、予測精度の補正を行った元のデータの出所を示しており、気象庁の気象予報や国交省レーダ、投稿者が独自に観測したデータの場合には気象観測に用いた測定機器等である。
【００２６】
続いて、予測データ入力部１１の処理手順について説明する。予測データ入力部１１は、投稿者端末２からの入力要求に応じて、先ず、投稿者端末２の表示部に投稿者の認証を行うための投稿者ＩＤ及びパスワードの入力を受け付ける認証ページを表示する。投稿者が認証されると、予測データ入力部１１は、気象予測データの入力ページを投稿者端末２の表示部に表示する。この入力ページは、気象予測データを直接入力可能に構成し、且つ、気象予測データを所定の形式で記録したファイルを指定可能に構成してある。投稿者は、直接入力またはファイルの指定の何れかを選択して気象予測データの入力を行う。尚、直接入力が選択され、入力された気象予測データの値に誤りや抜けがある場合、ファイル指定が選択され、指定されたファイルが読み取り可能なファイル形式ではない場合には、予測データ入力部１１は、エラーメッセージを出力し、再度、気象予測データの入力を促す。予測データ入力部１１は、投稿者端末２から気象予測データが正しく入力されると、当該気象予測データを投稿者と関連付けて記憶する。
【００２７】
実績データ入力部１２は、予測対象場所と気象要素別の気象実績データの入力を各別に受け付ける。詳細には、実績データは、定期観測によるものを前提としている。本実施形態では、これらの気象要素の実績データは、気象庁による各地の気象台や測候所、アメダス等による気象観測、生物季節観測等によって得られる実績データだけでなく、投稿者が独自に設置した気圧計、温度計、雨量計、日射日照計、風向風速計等の気象観測装置や気象衛星からの実績データ、河川の水量等を用いても良い。尚、本実施形態では、気象観測等に用いられる気象観測装置等は、気象庁の検定を受けていることを条件としている。本実施形態の実績データ入力部１２は、気象庁において観測された実績データについては、自動的に定期的に取得するように構成し、気象庁以外で観測された実績データについては、投稿者からの実績データの入力要求に応じて入力可能に構成してある。
【００２８】
予測精度算出部１３は、投稿者と予測対象場所と気象要素別に、気象予測データと気象実績データに基づいて、気象予測データの予測精度と所定の評価期間毎の期間予測精度を算出する。本実施形態の気象予測データの予測精度は、予測値と実測値との差、予測値の実測値からのずれ（比率）、及び、標準偏差の何れかであり、気象要素毎に、各気象要素の特徴に応じて設定してある。同様に、本実施形態の期間予測精度は、評価期間内における予測値と実績値との差（絶対値）の平均値、評価期間内における予測値の実測値からのずれ（絶対値）の平均値、評価期間内における各平均値の標準偏差の何れかであり、気象要素毎に、気象予測データの予測精度と同じに設定してある。また、期間予測精度の評価期間は任意に設定可能であり、本実施形態では、期間予測精度として、年間予測精度、及び、月間予測精度を算出する。
【００２９】
予測精度出力部１４は、予測対象場所と気象要素と評価期間別に、少なくとも期間予測精度に基づく所定順位の投稿者と期間予測精度を所定の出力形式で外部に出力する。尚、本実施形態の予測精度出力部１４は、予め登録された閲覧会員からの閲覧要求に応答して、予測精度情報を閲覧会員に対して出力するように構成されている。詳細には、予測精度出力部１４は、閲覧会員端末３からの気象予測ランキングページの表示要求に応じて、先ず、閲覧会員端末３の表示部に閲覧会員の認証を行うための閲覧会員ＩＤ及びパスワードの入力を受け付ける認証ページを表示する。閲覧会員が認証されると、予測精度出力部１４は、閲覧会員端末３の表示部に各気象予測ランキングページとリンクされたトップページを表示する。
【００３０】
ここで、図２は、予測精度出力部１４によって出力される気象予測ランキングページの一例を示している。ここでの気象予測ランキングページは、予測対象場所の市周辺における評価期間１ヶ月のランキングを示しており、最高気温、時刻別気温、時刻別風速等夫々について、順位、投稿者名、期間予測精度、及び、データ種別を表示するように構成されている。ここでの予測精度は、予測値と実績値との差で表されており、差の値の小さい投稿者程順位が高くなる。閲覧会員は、閲覧会員端末３から気象予測ランキングページにアクセスすることで、必要とする予測対象場所の気象要素について、予測精度の高い投稿者を容易に見つけることができる。尚、ランキング表示される人数、気象要素等は、閲覧者が任意に設定変更できるように構成しても良い。
【００３１】
尚、本実施形態では、気象要素として、気温及び風速を用いて説明したが、気圧、湿度、日射・日照時間、降水量（降雪量）、開花日・紅葉日等であっても良い。
【００３２】
〈第２実施形態〉
次に、本発明システム１の第２実施形態について、図３に基づいて説明する。本実施形態の本発明システム１は、予測データ入力部１１、予測精度入力部１５、予測精度算出部１３、及び、予測精度出力部１４とを備えている。尚、予測データ入力部１１及び予測精度出力部１４の構成は、上記第１実施形態と同様であり、本実施形態ではその説明を割愛する。
【００３３】
予測精度入力部１５は、投稿者と予測対象場所と気象要素別に、気象予測データと気象実績データに基づく気象予測データの予測精度の入力を各別に受け付ける。ここでは、気象予測データの予測精度は、投稿者端末２若しくは他の任意のシステム上で求められた予測精度を用いる。例えば、所定の一般的な表計算ソフト等や本発明システム１に適合するように作成されたアプリケーションソフトを用いて算出された気象予測データの予測精度を取得する。更に、本実施形態では、予測精度を適切に比較するために、気象要素毎に予め設定された算出方法を用いて求められた予測精度のみを取得するように構成する。より詳細には、本実施形態では、気温及び風速については、予測精度が実績値との差で表されているものを取得する。
【００３４】
本実施形態の予測精度算出部１３は、投稿者と予測対象場所と気象要素別に、気象予測データの予測精度に基づいて所定の評価期間毎の期間予測精度を算出する。本実施形態では、気温及び風速については、予測精度（絶対値）の１年及び１ヶ月での平均値を算出する。
【００３５】
尚、本実施形態では、気象予測データの予測精度の算出を行わないので、本発明システム１の構成を簡略化することができる。
【００３６】
〈第３実施形態〉
次に、本発明システム１の第３実施形態について、図４に基づいて説明する。図３に示すように、本実施形態の本発明システム１は、上記第１実施形態の各構成に加え、第１予測データ出力部１６、第２予測データ出力部１７、予測精度改善度算出部１８、及び、改善ポイント付与部１９を備えている。尚、予測データ入力部１１、実績データ入力部１２、及び、予測精度算出部１３の構成は上記第１実施形態と同じ構成であることから、本実施形態では説明を割愛する。
【００３７】
第１予測データ出力部１６は、予め登録された閲覧会員からの閲覧要求に応答して、複数の投稿者の内の閲覧会員が指定する投稿者の気象予測データを所定の出力形式で閲覧会員に対して出力する。本実施形態の第１予測データ出力部１６は、指定した投稿者が複数の気象要素に対する気象予測データを投稿している場合に、投稿者毎に気象要素を指定（一部指定、全指定等）できるように構成し、任意の投稿者の任意の気象要素についての気象予測データを取得できるように構成してある。これによって、閲覧会員は、気象予測ランキングの結果に応じて、必要とする気象予測データを指定して取得することができる。
【００３８】
第２予測データ出力部１７は、投稿者と予測対象場所と気象要素別に、過去の気象予測データを所定の出力形式で外部に出力する。本実施形態の第２予測データ出力部１７は、指定した投稿者が複数の気象要素に対する気象予測データを投稿している場合に、投稿者毎に気象要素を指定（一部指定、全指定等）できるように構成し、任意の投稿者の任意の気象要素についての過去の気象予測データを取得できるように構成してある。より具体的には、気象予測ランキングページの名前を選択することで、表示されている月のこれまでの予測結果を見ることができるように構成してある。
【００３９】
予測精度改善度算出部１８は、投稿者と予測対象場所と気象要素別に、所定の気象予測機関が発表した標準気象予測データに対する気象予測データの予測精度の改善程度を算出する。本実施形態では、所定の気象予測機関は、基準データ（予測の根拠としたデータ種別）を提供した気象予測機関であり、基準データからの改善程度を算出する。
【００４０】
改善ポイント付与部１９は、予測精度の改善程度に基づいて投稿者に所定のポイントを付与する。本実施形態では、改善程度が大きい程、付与するポイントの値が大きくなるように設定してある。ポイントが大きい投稿者程、標準気象予測データに対し適切な補正手法を有していると考えられ、閲覧会員は、優れた補正手法をもつ投稿者を容易に特定することができることとなる。また、本実施形態では、ポイントに応じた景品の贈呈等を行う。これによって、投稿者の予測精度向上に対する意欲向上を図ることができる。
【００４１】
次に、本発明システム１の別実施形態について説明する。
【００４２】
上記第３実施形態では、上記第１実施形態の本発明システム１に、更に、第１予測データ出力部１６、第２予測データ出力部１７、予測精度改善度算出部１８、及び、改善ポイント付与部１９を備える構成としたが、第２実施形態の本発明システム１に、第１予測データ出力部１６、第２予測データ出力部１７、予測精度改善度算出部１８、及び、改善ポイント付与部１９を備えるように構成するのも好ましい実施態様である。
【図面の簡単な説明】
【００４３】
【図１】本発明に係る気象予測支援システムの第１実施形態における概略構成を示すブロック図
【図２】本発明に係る気象予測支援システムによって表示されるＷｅｂページの概略説明図
【図３】本発明に係る気象予測支援システムの第２実施形態における概略構成を示すブロック図
【図４】本発明に係る気象予測支援システムの第３実施形態における概略構成を示すブロック図
【符号の説明】
【００４４】
１：    気象予測支援システム
２：    投稿者端末
３：    閲覧会員端末
４：    通信ネットワーク
１１：  予測データ入力部
１２：  実績データ入力部
１３：  予測精度算出部
１４：  予測精度出力部
１５：  予測精度入力部
１６：  第１予測データ出力部
１７：  第２予測データ出力部
１８：  予測精度改善度算出部
１９：  改善ポイント付与部
【図１】
2006275674.tif 000003
【図２】
2006275674.tif 000004
【図３】
2006275674.tif 000005
【図４】
2006275674.tif 000006